(57)【要約】【課題】燃料電池を電源とする電子機器に、高電圧がかかる回路を安全に搭載することができるようにする。【解決手段】発光部１４、フラッシュ回路の回路基板１５、および、コンデンサ１６からなるフラッシュ部が、カメラ１の筺体の図中右側に配置され、電池室１７が、図中左側に配置される。さらに、カメラ１の筐体の正面１−１には、電池室１７とフラッシュ部の間に、空気穴１９、および、空気穴２１が、回路基板１５およびコンデンサ１６の近傍に、空気穴２０が、それぞれ設けられる。これにより、電池室１７に収納されている燃料電池の燃料がたとえ漏れたとしても、漏れた燃料がフラッシュ部に到達するまでにその濃度が下がり、フラッシュ部でその燃料が引火する可能性が低下する。本発明は、カメラに適用可能である。【選択図】      図１
2005017325.tif 000002
【特許請求の範囲】
【請求項１】
燃料電池を電源とする電子機器において、
前記燃料電池を収容する電池室と、
前記電子機器の所定の機能を実行する機能実行部と
を備え、
前記機能実行部のうちの少なくとも高圧の電圧がかかる部分を、前記電子機器の筺体の一方と他方のうちの一方の側に配置し、前記電池室を他方の側に配置する
ことを特徴とする電子機器。
【請求項２】
前記筺体の一方と他方のうちの一方の側に配置された前記電池室と、他方の側に配置された前記機能実行部の高圧がかかる前記部分との間の所定の位置に配置される、前記筺体の内部の空間を前記筺体の外部に連通する開口部
をさらに備えることを特徴とする請求項１に記載の電子機器。
【請求項３】
前記電子機器は、被写体を撮影するカメラであり、
前記機能実行部は、前記カメラにより前記被写体が撮影される場合、前記被写体に対して発光する発光部、および、前記発光部を発光させるための回路を有するフラッシュ部であり、
前記カメラは、撮影レンズ鏡筒を有し、
前記フラッシュ部のうちの少なくとも前記発光部を、前記撮影レンズ鏡筒を挟んで、前記カメラの筺体の一方と他方のうちの一方の側に配置し、前記電池室を他方の側に配置する
ことを特徴とする請求項１または２に記載の電子機器。
【請求項４】
前記フラッシュ部の前記回路を、前記筺体の一方と他方のうちの、前記発光部が配置された側にさらに配置する
ことを特徴とする請求項３に記載の電子機器。
【請求項５】
燃料電池を電源とする電子機器において、
前記燃料電池を収容する電池室と、
前記電子機器の所定の機能を実行する機能実行部と、
前記電池室と、前記機能実行部のうちの高圧の電圧がかかる所定の部分との間の所定の位置に配置される、前記電子機器の筺体の内部の空間を前記筺体の外部に連通する第１の開口部と
を備えることを特徴とする電子機器。
【請求項６】
前記機能実行部のうちの高圧の電圧がかかる前記部分の近傍に配置される、前記筺体の内部の空間を前記筺体の外部に連通する第２の開口部
をさらに備えることを特徴とする請求項５に記載の電子機器。
【請求項７】
前記電子機器は、被写体を撮影するカメラであり、
前記機能実行部は、前記カメラにより前記被写体が撮影される場合、前記被写体に対して発光する発光部、および、前記発光部を発光させるための回路を有するフラッシュ部であり、
前記第１の開口部は、前記電池室と、前記フラッシュ部の前記発光部または前記回路の間の所定の位置に配置される
ことを特徴とする請求項５または６に記載の電子機器。
【請求項８】
燃料電池を電源とする電子機器において、
前記燃料電池を収容する電池室と、
前記電子機器の所定の機能を実行する機能実行部と、
前記機能実行部のうちの高圧の電圧がかかる所定の部分の近傍に配置される、前記電子機器の筺体の内部の空間を前記筺体の外部に連通する開口部と
を備えることを特徴とする電子機器。
【請求項９】
前記電子機器は、被写体を撮影するカメラであり、
前記機能実行部は、前記カメラにより前記被写体が撮影される場合、前記被写体に対して発光する発光部、および、前記発光部を発光させるための回路を有するフラッシュ部であり、
前記開口部は、前記フラッシュ部の前記発光部または前記回路の近傍に配置される
ことを特徴とする請求項８に記載の電子機器。
【発明の詳細な説明】
【０００１】
【発明の属する技術分野】
本発明は、電子機器に関し、特に、燃料電池を電源とする電子機器に、高電圧がかかる回路を安全に搭載することができるようにした電子機器に関する。
【０００２】
【従来の技術】
近年、携帯電話機やカメラ等に代表される電子機器の小型化および高機能化が進み、電子機器の電源となる電池に対しても、これまで以上の小型化および高機能化が要求されている。
【０００３】
そのような要求を満たす電池として、リチウムイオン電池等の従来利用されている電池と比較してエネルギー密度の濃い小型の燃料電池が、最近注目を集めており、その燃料電池を電源とする電子機器の商品化の研究および開発が行われている。
【０００４】
なお、このように、燃料電池を電源とする電子機器については、いまだ研究および開発の段階であり、このため、適切な先行技術文献が存在しない。
【０００５】
【発明が解決しようとする課題】
そのような燃料電池は、水素やメタノールなどを燃料とすることから、それらの燃料の引火を防止する工夫が必要である。特に、カメラのフラッシュ部等の高電圧がかかり火花を散らすような回路を搭載する電子機器の電源として、燃料電池が利用される場合、燃料電池の燃料漏れに対する対策が必須である。即ち、高電圧がかかる回路から飛散した火花により、燃料電池から漏れた燃料が引火することを防止する工夫が必要になる。
【０００６】
しかしながら、そのような対策（工夫）として有効なものが、いまだ開発されていないという課題があった。
【０００７】
本発明は、このような状況に鑑みてなされたものであり、燃料電池を電源とする電子機器に、高電圧がかかる回路を安全に搭載することができるようにするものである。
【０００８】
【課題を解決するための手段】
本発明の第１の電子機器は、燃料電池を電源とし、燃料電池を収容する電池室と、第１の電子機器の所定の機能を実行する機能実行部とを備え、機能実行部のうちの少なくとも高圧の電圧がかかる部分を、第１の電子機器の筺体の一方と他方のうちの一方の側に配置し、電池室を他方の側に配置することを特徴とする。
【０００９】
筺体の一方と他方のうちの一方の側に配置された電池室と、他方の側に配置された機能実行部の高圧がかかる部分との間の所定の位置に配置される、筺体の内部の空間を筺体の外部に連通する開口部をさらに設けるようにすることができる。
【００１０】
第１の電子機器は、被写体を撮影するカメラであり、機能実行部は、カメラにより被写体が撮影される場合、被写体に対して発光する発光部、および、発光部を発光させるための回路を有するフラッシュ部であり、カメラは、撮影レンズ鏡筒をさらに有し、フラッシュ部のうちの少なくとも発光部を、撮影レンズ鏡筒を挟んで、カメラの筺体の一方と他方のうちの一方の側に配置し、電池室を他方の側に配置するようにすることができる。さらに、フラッシュ部の回路を、筺体の一方と他方のうちの、発光部が配置された側にさらに配置するようにすることができる。
【００１１】
本発明の第１の電子機器においては、所定の機能を実行する機能実行部のうちの少なくとも高圧の電圧がかかる部分が、筺体の一方と他方のうちの一方の側に配置され、他方の側に、第１の電子機器の電源となる燃料電池を収容する電池室が配置される。
【００１２】
本発明の第２の電子機器は、燃料電池を電源とし、燃料電池を収容する電池室と、第２の電子機器の所定の機能を実行する機能実行部と、電池室と、機能実行部のうちの高圧の電圧がかかる所定の部分との間の所定の位置に配置される、第２の電子機器の筺体の内部の空間を筺体の外部に連通する第１の開口部とを備えることを特徴とする。
【００１３】
機能実行部のうちの高圧の電圧がかかる部分の近傍に配置される、筺体の内部の空間を筺体の外部に連通する第２の開口部をさらに設けるようにすることができる。
【００１４】
第２の電子機器は、被写体を撮影するカメラであり、機能実行部は、カメラにより被写体が撮影される場合、被写体に対して発光する発光部、および、発光部を発光させるための回路を有するフラッシュ部であり、第１の開口部は、電池室と、フラッシュ部の発光部または回路の間の所定の位置に配置されるようにすることができる。
【００１５】
本発明の第２の電子機器においては、第２の電子機器の電源となる燃料電池を収容する電池室と、所定の機能を実行する機能実行部のうちの高圧の電圧がかかる所定の部分との間の所定の位置に、筺体の内部の空間を筺体の外部に連通する開口部が配置される。
【００１６】
本発明の第３の電子機器は、燃料電池を電源とし、燃料電池を収容する電池室と、第３の電子機器の所定の機能を実行する機能実行部と、機能実行部のうちの高圧の電圧がかかる所定の部分の近傍に配置される、電子機器の筺体の内部の空間を筺体の外部に連通する開口部とを備えることを特徴とする。
【００１７】
第３の電子機器は、被写体を撮影するカメラであり、機能実行部は、カメラにより被写体が撮影される場合、被写体に対して発光する発光部、および、発光部を発光させるための回路を有するフラッシュ部であり、開口部は、フラッシュ部の発光部または回路の近傍に配置されるようにすることができる。
【００１８】
本発明の第３の電子機器においては、第３の電子機器の電源となる燃料電池を収容する電池室、および、所定の機能を実行する機能実行部が搭載され、さらに、機能実行部のうちの高圧の電圧がかかる所定の部分の近傍に、筺体の内部の空間を筺体の外部に連通する開口部が配置される。
【００１９】
【発明の実施の形態】
図１は、本発明が適用される電子機器としてのカメラの正面の外観の構成例を表している。
【００２０】
図１に示されるように、カメラ１の筐体の正面１−１には、その中央の図中上方向に、ユーザが被写体を視認するためのファインダ１１が設けられており、その下方に、被写体を撮影するための撮影レンズ１２−１を有する鏡筒１２が設けられており、また、ファインダ１１の図中左斜め上方向に、即ち、カメラ１−１の筐体の正面１−１と垂直な側面のうちの、図中上方向に配置される側面１−５には、ユーザが被写体を撮影する場合に押下するレリーズボタン１３が設けられている。
【００２１】
カメラ１の筐体の正面１−１の右側には、図中上方向に、ユーザが被写体を撮影する場合、フラッシュとして発光する発光部１４が設けられており、その下方の筺体の内部には、発光部１４を発光させるためのフラッシュ回路（後述する図５に示される回路）を搭載する回路基板１５、および、発光部１４を発光させるためのエネルギー（電荷）を充電するコンデンサ１６が設けられている。なお、以下、発光部１４、回路基板１５、および、コンデンサ１６をあわせて、フラッシュ部と称する。
【００２２】
これに対して、カメラ１の筐体の正面１−１の左側には、その筐体の内部に、カメラ１の電源となる燃料電池（例えば、後述する図２の燃料電池２９）を収納する電池室１７が設けられている。
【００２３】
このように、カメラ１においては、その筐体の図中右側に、フラッシュ部が配置され、かつ、鏡筒１２を挟んでその反対側に（図中左側に）、電池室１７が配置されている。このような配置は、フラッシュ部と電池室１７の距離を可能な限り離すことを目的として行われており、これにより、電池室１７に収納されている燃料電池の燃料がたとえ漏れたとしても、漏れた燃料がフラッシュ部に到達するまでにその濃度が下がり、フラッシュ部でその燃料が引火する可能性が低下する。
【００２４】
特に、鏡筒１２を挟むことにより、鏡筒１２がいわゆる防護壁となり、その効果はより顕著なものとなる。
【００２５】
なお、フラッシュ部と電池室１７のそれぞれは、本実施の形態（図１や後述する図２の例）では、鏡筒１２を挟んで左右に配置されているが、本発明においては、フラッシュ部と電池室１７のそれぞれの配置位置は、これに限定されることなく、鏡筒１２を挟む位置であればいずれの場所でもよく、例えば、鏡筒１２を挟んだ上下とされてもよい。
【００２６】
さらに、カメラ１の筐体の正面１−１には、電池室１７の近傍に、電池室１７の内部とカメラ１の筐体の外部の空間を連通する空気穴１８が、電池室１７と鏡筒１２の間（電池室１７と、フラッシュ回路１５およびコンデンサ１６の間）に、カメラ１の筐体の内部とその外部の空間を連通する空気穴１９が、電池室１７と発光部１４の間に、カメラ１の筐体の内部とその外部の空間を連通する空気穴２１が、それぞれ設けられている。
【００２７】
空気穴１８は、電池室１７に収納されている燃料電池が発電に利用する酸素を、カメラ１の筺体の外部の空間から、電池室１７の内部（燃料電池）に取り込むために設けられている。
【００２８】
これに対して、空気穴１９、および、空気穴２１は、電池室１７に収納されている燃料電池の燃料が漏れた場合の対策として設けられている。即ち、電池室１７に収納されている燃料電池の燃料がたとえ漏れたとしても、空気穴１９、および空気穴２１のそれぞれからカメラ１の筐体内に外気が流れ込むとともに、漏れた燃料（気体）が空気穴１９、および空気穴２１のそれぞれからカメラ１の筐体の外部に放出されるので、漏れた燃料の濃度がさらに下がり、フラッシュ部でその燃料が引火する可能性がさらに低下する。
【００２９】
漏れた燃料の濃度をさらに下げるために、カメラ１の筐体の正面１−１のフラッシュ回路の回路基板１５およびコンデンサ１６の近傍に、カメラ１の筐体の内部とその外部の空間を連通する空気穴２０がさらに設けられている。
【００３０】
これにより、漏れた燃料の濃度がさらに下がり、フラッシュ部でその燃料が引火する可能性がさらに低下する。
【００３１】
図２は、カメラ１の、図１のＡ−Ａ’の部分の水平断面を表している。
【００３２】
図２に示されるように、カメラ１の筺体の内部には、図中左側（筺体の正面１−１と垂直な側面のうちの、側面１−３側）に、筺体の正面１−１から背面１−２（正面１−１に対向する面１−２）に向かって順に、燃料電池２９を収納する上述した電池室１７、カメラ１の全体の動作を制御する回路を搭載する回路基板２６−１、および、カメラ１が撮影した画像のデータを記録するメモリカード２７が設けられており、さらに、メモリカード２７の後方の筺体の左側から右側にかけて、カメラ１の全体の動作を制御する回路を搭載する回路基板２６−２が設けられている。
【００３３】
カメラ１の筺体の側面１−３には、メモリカード蓋２８が設けられており、メモリカード蓋２８は、ユーザがメモリカード２７を抜き差しする場合、開けられ、それ以外の場合、閉められる。
【００３４】
これに対して、カメラ１の筺体の内部の図中右側（筺体の正面１−１と垂直な側面のうちの、側面１−４側）には、筺体の正面１−１から背面１−２に向かって順に、上述したフラッシュ部のうちのコンデンサ１６、および、フラッシュ回路の回路基板１５が設けられている。回路基板１５の後方には、上述した回路基板２６−２が設けられている。
【００３５】
また、カメラ１の筺体の内部の中央には、鏡筒１２が設けられており、鏡筒１２には、筺体の正面１−１から背面１−２に向かって順に、レンズ１２−１、シャッタユニット１２−２、レンズ１２−３、および、レンズ１２−４が設けられている。
【００３６】
カメラ１の筺体の内部の中央にはさらに、レンズ１２−４の後方に、筺体の正面１−１から背面１−２に向かって順に、被写体を撮像する撮像素子であるＣＣＤ（Ｃｈａｒｇｅ  Ｃｏｕｐｌｅｄ  Ｄｅｖｉｃｅ）２３、上述した回路基板２６−２、および、カメラ１が撮影した（ＣＣＤ２３が撮像した）被写体の画像等の画像を表示するＬＣＤ（Ｌｉｑｕｉｄ  Ｃｒｙｓｔａｌ  Ｄｉｓｐｌａｙ）２４が設けられている。
【００３７】
カメラ１の筺体の背面１−２には、ＬＣＤ２４を保護するためのＬＣＤ窓２５が設けられており、ユーザは、このＬＣＤ窓２５を通してＬＣＤ２４に表示された画像を見ることができる。
【００３８】
このように、カメラ１の筺体の内部には、図中、鏡筒１２を挟んで左側に、電池室１７が配置されるとともに、右側に、フラッシュ部のうちのフラッシュ回路の回路基板１５、および、コンデンサ１６が配置される。
【００３９】
さらに、カメラ１の筺体の正面１−１には、上述したように、電池室１７の近傍に、電池室１７の内部とカメラ１の筐体の外部の空間を連通する空気穴１８が、電池室１７と鏡筒１２の間（電池室１７と、フラッシュ回路の回路基板１５およびコンデンサ１６の間）に、カメラ１の筐体の内部とその外部の空間を連通する空気穴１９が、コンデンサ１６の近傍に、カメラ１の筐体の内部とその外部の空間を連通する空気穴２０が、それぞれ設けられている。
【００４０】
これらの空気穴１８、および、空気穴１９と筺体内部の間には、撥水シート２１が、空気穴２０と筺体内部の間には、撥水シート２２が、それぞれ設けられている。
【００４１】
なお、カメラ１の筺体は、筺体の側面１−３と側面１−４の略中央部を境にして、正面１−１側の前カバー３２と、背面１−２側の後カバー３３から構成されている。後カバー３３は、開閉可能とされている。
【００４２】
図３は、カメラ１の、図１のＢ−Ｂ’の部分の水平断面を表している。
【００４３】
図３に示されるように、カメラ１の筺体の内部には、図中右側（筺体の側面１−３側）に、フラッシュ部のうちの発光部１４が設けられており、発光部１４には、筺体の正面１−１から背面１−２に向かって順に、火花が筺体の外部に飛散することを防止するプロテクタ１４−１、発光された光を反射する反射傘１４−２、および、上述したフラッシュ回路の制御に基づいて発光するＸｅ管１４−３が設けられている。
【００４４】
カメラ１の筺体の内部にはまた、図中、発光部１４の左側に（図１中、中央に）、発光部１４と所定の空間を空けて、ファインダユニット３４が設けられている。ファインダユニット３４は、ユーザが、上述したファインダ１１に対向して位置する被写体を視認するためのものであるが、本発明とは直接関係せず、かつ、当業者にとって理解が容易なため、その構成の説明は省略する。
【００４５】
カメラ１の筺体の正面１−１には、発光部１４とファインダ１１の間に、カメラ１の筐体の内部とその外部の空間を連通する、上述した空気穴２１が設けられている。即ち、上述したように（図１に示されるように）、発光部１４と、ファインダ１１よりも図１中左側に配置される電池室１７との間に、空気穴２１が設けられている。空気穴２１と筺体内部の間には、他の空気穴１８乃至空気穴２０と同様に、撥水シート３１が設けられている。
【００４６】
図４は、カメラ１の電気的な構成例を表すブロック図である。
【００４７】
図４に示されるように、カメラ１には、上述した電池室１７に収納された燃料電池２９（図２）を電源として、カメラ１の全体の動作を制御する主制御部５１が設けられている。
【００４８】
即ち、図示はしないが、主制御部５１には、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等が設けられており、ＣＰＵが、ＲＯＭ等に記憶されているプログラムから、ＲＡＭにロードしたプログラムに従って、カメラ１の全体の動作を制御する。ＲＡＭにはまた、ＣＰＵが各種の処理を実行する上において必要なデータなどが適宜記憶される。
【００４９】
換言すると、主制御部５１は、後述する入力部５２より入力される信号に応じて、後述する画像処理部５３乃至フラッシュ部５９のそれぞれを制御する。
【００５０】
カメラ１にはまた、上述したレリーズボタン１３（図１）等からなる入力部５２、上述したＣＣＤ２３より供給される画像信号（ＣＣＤ２３により撮影され、アナログの信号に変換された画像信号）に対して所定の画像処理を施す画像処理部５３、並びに、シャッタユニット１２（図２）に含まれる、レリーズボタン１３が押下された場合、所定の露出時間の間、レンズ１４−１からの光を通すようにシャッタ（図示せず）を開放し、それ以外の場合、シャッタを閉めるシャッタモータ５４、レンズ１４−１に対する絞り（図示せず）の絞り量を調整するフォーカシングモータ５５、ズームを行うために鏡筒１４を伸縮させるズーミングモータ５６、および、ズーミングモータ５６を制御するためのズームエンコーダ５７が設けられている。
【００５１】
カメラ１にはさらに、上述したＬＣＤ２４を駆動するためのＬＣＤ駆動部５８、並びに、上述した回路基板１５（図２）に搭載されるフラッシュ回路、コンデンサ１６（図２）、および、発光部１４（Ｘｅ管１４−３（図３））から構成されるフラッシュ部５９が設けられている。
【００５２】
なお、この例においては、主制御部５１、画像処理部５３、および、ＬＣＤ駆動部５８に対応する回路のそれぞれは、例えば、上述した図２の回路基板１２−１、または回路基板１２−２のうちのいずれか一方に搭載されている。
【００５３】
また、カメラ１の電源は、図４の例では、燃料電池２９のみとされるが、図４の例に限定されず、燃料電池２９と、リチウムイオン電池等の２次電池（図示せず）を併用してもよい。この場合、主制御部５１と、燃料電池２９および２次電池の間には、電源制御部（図示せず）が設けられる。電源制御部は、例えば、カメラ１の電源として、燃料電池または２次電池のうちのいずれか一方を選択する制御（スイッチング制御）を行ったり、燃料電池から２次電池に充電させ、２次電池をカメラ１の主電源とする制御を行ったりする。
【００５４】
図５は、図４のフラッシュ部５９の詳細な構成例を表した回路図である。
【００５５】
図５に示されるように、フラッシュ部５９は、電源となる燃料電池２９に対して、スイッチ７７と抵抗７８が直列的に接続された直列回路と、スイッチ７１と高圧回路９１が直列的に接続された直列回路が、並列的に接続された構成とされている。
【００５６】
高圧回路９１は、高圧の電圧がかかる回路であり、図５に示されるように構成される。
【００５７】
即ち、高圧回路９１には、スイッチ７１がオン状態とされた場合、燃料電池２９の直流電圧を交流電圧に変換し、その交流電圧を昇圧する昇圧回路７２が設けられている。即ち、昇圧回路の１次側には、燃料電池２９とスイッチ７１が直列的に接続されている。
【００５８】
これに対して、昇圧回路７２の２次側の一端（図中上端）には、昇圧回路７２の２次側より出力される交流電流を整流する整流器７３の入力端が接続されている。また、整流器７３の出力端と、昇圧回路７２の２次側の他端（図中下端）との間には、整流器７３から出力される高電圧の電荷を充電するための上述したコンデンサ１６、フラッシュとして発光する上述したＸｅ管１４−３、および、抵抗７５とサイリスタ７６が直列的に接続された直列回路が、並列的に接続されている。
【００５９】
サイリスタ７６のゲートは、スイッチ７７と抵抗７８の接続端に接続され、カソードは、抵抗７８の他端（燃料電池２９が接続されている側の端）に接続されている。これにより、スイッチ７７がオン状態とされた場合、サイリスタ７６のゲートとカソード間に順電圧がかかり（燃料電池２９からスイッチ７７を介してゲート電流が、サイリスタ７６のゲートに流れ込み）、サイリスタ７６がターンオンする。
【００６０】
サイリスタ７６のアノードには、上述した抵抗７５の他、コンデンサ７９の一端（図中右端）が接続されている。コンデンサ７９の他端（図中左端）と、サイリスタ７６のカソードの間には、Ｘｅ管１４−３を放電発光させるためのトリガトランス８０の１次側が接続されている。トリガトランス８０の２次側は、Ｘｅ管１４−３を放電発光させることが可能な位置に配置される。
【００６１】
即ち、高圧回路９１には、昇圧回路７２の他、整流器７３、コンデンサ１６、Ｘｅ管１４−３、抵抗７５、サイリスタ７６、コンデンサ７９、および、トリガトランス８０が設けられており、上述したように、これらの素子のそれぞれには高電圧がかかる。
【００６２】
ここで、フラッシュ部５９の動作について、簡単に説明する。
【００６３】
ユーザが、フラッシュ機能を利用するために、入力部５２（図４）のうちの対応するボタン（図示せず）を操作すると、主制御部５１（図４）はその操作を検知して、スイッチ７１をオン状態にする。
【００６４】
このとき、昇圧回路７２は、燃料電池２９の直流電源を交流電源に変換してから、内部のトランスにより昇圧する。昇圧された交流電源（高電圧の交流電源）は、整流器７３により再度直流電源にされ、その直流電源によりコンデンサ１６には高電圧の電荷が充電される。
【００６５】
次に、ユーザが被写体を撮影するために、入力部５２（図４）のうちのレリーズボタン１３（図１）を操作（押下）すると、主制御部５１（図４）はその操作を検知して、スイッチ７７をオン状態にする。
【００６６】
これにより、燃料電池２９からスイッチ７７を介してゲート電流が、サイリスタ７６のゲートに流れ込み（サイリスタ７６のゲートとカソード間に順電圧がかかり）、サイリスタ７６がターンオンする。
【００６７】
サイリスタ７６がターンオンすると、コンデンサ１６に蓄積された電荷が、抵抗７５、および、コンデンサ７９を介してトリガトランス８０の１次側を通じて放電するため、トリガトランストランス８０の２次側には高電圧（一般的に、数ｋＶの電圧）が発生する。
【００６８】
このトリガトランストランス８０の２次側に発生した高電圧により、Ｘｅ管１４−３内のガスの一部がイオン化されて、Ｘｅ管１４−３内の内部抵抗が下がり、Ｘｅ管１４−３が放電発光する。
【００６９】
なお、この例においては、スイッチ７１とスイッチ７７は、回路基板１５（図２）に搭載されるフラッシュ回路の一部とされているが、スイッチ７１は、入力部５２（図４）のうちの所定のボタン（図示せず）そのものとされ、かつ、スイッチ７１は、入力部５２のうちのレリーズボタン１３（図１）そのものとされてもよい。
【００７０】
このように、高圧回路９１は、高圧の電圧がかかり、ショートすることがあれば、火花を発生する恐れがある。従って、カメラ１（図１）においては、上述したように（図１乃至図３に示されるように）、高圧回路９１（それを構成する回路基板１５、およびコンデンサ１６（図２）、並びに、Ｘｅ管１４−３（図３））が、燃料電池２９を収納する電池室１９から可能な限り離れて配置される。即ち、図１に示されるように、カメラ１においては、高圧回路９１が、カメラの筺体の図中右側に配置され、電池室１７が、図中左側に配置される。
【００７１】
これにより、電池室１７に収納されている燃料電池２９（図２）の燃料がたとえ漏れたとしても、漏れた燃料が高圧回路９１に到達するまでにその濃度が下がり、高圧回路９１でその燃料が引火する可能性が低下する。
【００７２】
さらに、図１に示されるように、カメラ１の筐体の正面１−１には、電池室１７と、高圧回路９１のうちの回路基板１５およびコンデンサ１６の間に、空気穴１９が、回路基板１５およびコンデンサ１６の近傍に、空気穴２０が、電池室１７と、高圧回路９１のうちの発光部１４（Ｘｅ管１４−３（図３））の間に、空気穴２１が、それぞれ設けられている。
【００７３】
これにより、電池室１７に収納されている燃料電池２９の燃料がたとえ漏れたとしても、空気穴１９、空気穴２０、および、空気穴２１のそれぞれからカメラ１の筐体内に外気が流れ込むとともに、漏れた燃料（気体）が空気穴１９、空気穴２０、および、空気穴２１のそれぞれからカメラ１の筐体の外部に放出されるので、漏れた燃料の濃度がさらに下がり、高圧回路９１でその燃料が引火する可能性がさらに低下する。
【００７４】
なお、本発明が適用される電子機器は、上述したカメラ１に限定されず、燃料電池、高電圧がかかる回路を筺体内に搭載可能な電子機器であればよい。例えば、本発明は、携帯電話機や、ＰＤＡ（ｐｅｒｓｏｎａｌ  Ｄｉｇｉｔａｌ  Ａｓｓｉｓｔａｎｔｓ）に代表される携帯型情報処理端末等にも適用可能である。
【００７５】
【発明の効果】
以上のごとく、本発明によれば、電子機器の電源として燃料電池を利用可能にすることができる。特に、燃料電池を電源とする電子機器に、高電圧がかかる回路を安全に搭載することができる。
【図面の簡単な説明】
【図１】本発明が適用されるカメラの外観の構成例を示す正面図である。
【図２】図１のカメラのＡ−Ａ’部分の水平断面図である。
【図３】図１のカメラのＢ−Ｂ’部分の水平断面図である。
【図４】図１のカメラの電気的な構成例を示すブロック図である。
【図５】図４のカメラのフラッシュ部の詳細な構成例を示す回路図である。
【符号の説明】
１  カメラ
１４  発光部
１４−３  Ｘｅ管
１５  フラッシュ回路の回路基板
１６  コンデンサ
１７  電池室
１９  空気穴
２０  空気穴
２１  空気穴
２９  燃料電池
５９  フラッシュ部
９１  高圧回路
【図１】
2005017325.tif 000003
【図２】
2005017325.tif 000004
【図３】
2005017325.tif 000005
【図４】
2005017325.tif 000006
【図５】
2005017325.tif 000007